(57)【要約】【課題】新規な見栄えを提供しつつ、細かい配光制御を行う。【解決手段】両面にプリズムカット３ｃ，３ｄが形成されたレンズ３を具備する照明装置において、レンズ３の外側表面のプリズムカット３ｃの稜線３ｃＬをレンズ３の厚さ方向（図２（Ｃ）の手前−奥側方向）に投影したものと、レンズ３の内側表面のプリズムカット３ｄの稜線３ｄＬをレンズ３の厚さ方向（図２（Ｃ）の手前−奥側方向）に投影したものとが０°より大きく９０°より小さい角度θをなして交差するように、外側表面のプリズムカット３ｃおよび内側表面のプリズムカット３ｄを形成し、内側表面のプリズムカット３ｄ上に微細プリズムカット３ｅを更に形成した。【選択図】図２
2007227299.tif 000002
【特許請求の範囲】
【請求項１】
両面にプリズムカットが形成されたレンズを具備する照明装置において、前記レンズの外側表面のプリズムカットの稜線をレンズの厚さ方向に投影したものと、前記レンズの内側表面のプリズムカットの稜線をレンズの厚さ方向に投影したものとが０°より大きく９０°より小さい角度をなして交差するように、前記外側表面のプリズムカットおよび前記内側表面のプリズムカットを形成し、前記内側表面のプリズムカット上に微細プリズムカットを更に形成したことを特徴とする照明装置。
【請求項２】
複数の部材を張り合わせることにより、前記外側表面のプリズムカットと、前記内側表面のプリズムカットと、前記内側表面のプリズムカット上の微細プリズムカットとを備えたレンズを形成したことを特徴とする請求項１に記載の照明装置。
【請求項３】
凸状の微細プリズムカットを前記内側表面のプリズムカット上に形成したことを特徴とする請求項１又は２に記載の照明装置。
【請求項４】
前記外側表面のプリズムカットの断面形状が前記内側表面のプリズムカットの断面形状よりも滑らかな曲線になるように、前記外側表面のプリズムカットおよび前記内側表面のプリズムカットを形成したことを特徴とする請求項１〜３のいずれか一項に記載の照明装置。
【発明の詳細な説明】
【技術分野】
【０００１】
本発明は、両面にプリズムカットが形成されたレンズを具備する照明装置に関し、特には、新規な見栄えを提供しつつ、細かい配光制御を行うことができる照明装置に関する。
【背景技術】
【０００２】
従来から、両面にプリズムカットが形成されたレンズを具備する車両用灯具（照明装置）が知られている。この種の車両用灯具（照明装置）の例としては、例えば特開平５−９４７０５号公報に記載されたものがある。
【０００３】
特開平５−９４７０５号公報に記載された車両用灯具（照明装置）では、インナーレンズの照射側（外側）表面にプリズムカットが形成されると共に、インナーレンズの光源側（内側）表面にプリズムカットが形成されている。詳細には、光源から車両の側方に放射された光が、照射側（外側）表面のプリズムカットおよび光源側（内側）表面のプリズムカットによって、車両の前方に屈折あるいは反射せしめられている。
【０００４】
ところが、特開平５−９４７０５号公報に記載された車両用灯具（照明装置）では、光源から車両の側方に放射された光を車両の前方に屈折あるいは反射させるために、照射側（外側）表面のプリズムカットおよび光源側（内側）表面のプリズムカットが形成されている。つまり、照射側（外側）表面のプリズムカットおよび光源側（内側）表面のプリズムカットによって、水平面内の配光制御が行われている。
【０００５】
それゆえ、特開平５−９４７０５号公報に記載された車両用灯具（照明装置）では、照射側（外側）表面のプリズムカットの稜線と光源側（内側）表面のプリズムカットの稜線とがほぼ平行になるように、照射側（外側）表面のプリズムカットおよび光源側（内側）表面のプリズムカットが配列されていると考えられる。
【０００６】
そのため、特開平５−９４７０５号公報に記載された車両用灯具（照明装置）では、車両用灯具（照明装置）の見栄えがありふれたものになってしまい、新規な見栄えに対するユーザーの欲求を満足させることができないおそれがある。
【０００７】
また、特開平５−９４７０５号公報に記載された車両用灯具（照明装置）では、上述したように、光源から車両の側方に放射された光を車両の前方に屈折あるいは反射させるために、照射側（外側）表面のプリズムカットおよび光源側（内側）表面のプリズムカットが形成されている。換言すれば、光源から車両の側方に放射された光の殆どが車両の前方に照射せしめられる。
【０００８】
そのため、特開平５−９４７０５号公報に記載された車両用灯具（照明装置）では、照射側（外側）表面のプリズムカットおよび光源側（内側）表面のプリズムカットによって細かい配光制御を行うことができない。
【０００９】
【特許文献１】特開平５−９４７０５号公報
【発明の開示】
【発明が解決しようとする課題】
【００１０】
前記問題点に鑑み、本発明は、新規な見栄えを提供しつつ、細かい配光制御を行うことができる照明装置を提供することを目的とする。
【課題を解決するための手段】
【００１１】
請求項１に記載の発明によれば、両面にプリズムカットが形成されたレンズを具備する照明装置において、前記レンズの外側表面のプリズムカットの稜線をレンズの厚さ方向に投影したものと、前記レンズの内側表面のプリズムカットの稜線をレンズの厚さ方向に投影したものとが０°より大きく９０°より小さい角度をなして交差するように、前記外側表面のプリズムカットおよび前記内側表面のプリズムカットを形成し、前記内側表面のプリズムカット上に微細プリズムカットを更に形成したことを特徴とする照明装置が提供される。
【００１２】
請求項２に記載の発明によれば、複数の部材を張り合わせることにより、前記外側表面のプリズムカットと、前記内側表面のプリズムカットと、前記内側表面のプリズムカット上の微細プリズムカットとを備えたレンズを形成したことを特徴とする請求項１に記載の照明装置が提供される。
【００１３】
請求項３に記載の発明によれば、凸状の微細プリズムカットを前記内側表面のプリズムカット上に形成したことを特徴とする請求項１又は２に記載の照明装置が提供される。
【００１４】
請求項４に記載の発明によれば、前記外側表面のプリズムカットの断面形状が前記内側表面のプリズムカットの断面形状よりも滑らかな曲線になるように、前記外側表面のプリズムカットおよび前記内側表面のプリズムカットを形成したことを特徴とする請求項１〜３のいずれか一項に記載の照明装置が提供される。
【発明の効果】
【００１５】
請求項１に記載の照明装置では、レンズの外側表面のプリズムカットの稜線をレンズの厚さ方向に投影したものと、レンズの内側表面のプリズムカットの稜線をレンズの厚さ方向に投影したものとが０°より大きく９０°より小さい角度をなして交差するように、外側表面のプリズムカットおよび内側表面のプリズムカットが形成されている。
【００１６】
そのため、請求項１に記載の照明装置によれば、レンズの外側表面のプリズムカットの稜線とレンズの内側表面のプリズムカットの稜線とが平行になっている場合や、レンズの外側表面のプリズムカットの稜線をレンズの厚さ方向に投影したものとレンズの内側表面のプリズムカットの稜線をレンズの厚さ方向に投影したものとが直交している場合とは全く異なる新規な見栄えを提供することができる。
【００１７】
更に、請求項１に記載の照明装置では、内側表面のプリズムカット上に微細プリズムカットが更に形成されている。そのため、請求項１に記載の照明装置によれば、内側表面のプリズムカット上の微細プリズムカットによって細かい配光制御を行うことができる。
【００１８】
つまり、請求項１に記載の照明装置によれば、新規な見栄えを提供しつつ、細かい配光制御を行うことができる。
【００１９】
請求項２に記載の照明装置では、複数の部材を張り合わせることにより、外側表面のプリズムカットと、内側表面のプリズムカットと、内側表面のプリズムカット上の微細プリズムカットとを備えたレンズが形成されている。そのため、請求項２に記載の照明装置によれば、外側表面のプリズムカットと内側表面のプリズムカットと内側表面のプリズムカット上の微細プリズムカットとを備えたレンズを単一の部材によって形成するのに伴って、その部材を成形するための金型が複雑になり、レンズの製造コストが嵩んでしまうのを抑制することができる。
【００２０】
請求項３に記載の照明装置では、凸状の微細プリズムカットが、外側表面のプリズムカット上ではなく、内側表面のプリズムカット上に形成されている。そのため、請求項３に記載の照明装置によれば、凸状の微細プリズムカットが外側表面のプリズムカット上に形成されるのに伴って、細かい突起が照明装置の外側に露出してしまうのを回避することができる。
【００２１】
つまり、請求項３に記載の照明装置によれば、細かい突起が照明装置の外側に露出してしまうのを回避しつつ、細かい配光制御を行うことができる。
【００２２】
請求項４に記載の照明装置では、外側表面のプリズムカットの断面形状が内側表面のプリズムカットの断面形状よりも滑らかな曲線になるように、外側表面のプリズムカットおよび内側表面のプリズムカットが形成されている。好ましくは、外側表面のプリズムカットの断面形状が概略円形になり、内側表面のプリズムカットの断面形状が概略多角形になるように、外側表面のプリズムカットおよび内側表面のプリズムカットが形成されている。換言すれば、外側表面のプリズムカットが概略シリンドリカル形状に形成されている。
【００２３】
そのため、請求項４に記載の照明装置によれば、鋭利な断面形状を有する外側表面のプリズムカットが形成されるのに伴って、鋭利な部分が照明装置の外側に露出してしまうのを回避することができる。
【００２４】
つまり、請求項４に記載の照明装置によれば、鋭利な部分が照明装置の外側に露出してしまうのを回避しつつ、適切に配光制御を行うことができる。
【発明を実施するための最良の形態】
【００２５】
以下、本発明の照明装置の第１の実施形態について説明する。図１は第１の実施形態の照明装置を示した図である。詳細には、図１（Ａ）は第１の実施形態の照明装置の正面図である。更に詳細には、図１（Ａ）は第１の実施形態の照明装置の照射方向から第１の実施形態の照明装置を見た図である。図１（Ｂ）は図１（Ａ）のＢ−Ｂ断面図、図１（Ｃ）は図１（Ａ）のＣ−Ｃ断面図である。
【００２６】
図１において、１は例えばバルブ、ＬＥＤなどのような光源を示しており、２は光源１からの光を照射方向（図１（Ｂ）の左側、図１（Ｃ）の上側）に反射するためのリフレクタを示している。３はリフレクタ２からの光を配光制御するために、両面にプリズムカット３ｃ，３ｄが形成されたレンズを示している。
【００２７】
図２は図１に示したレンズ３の部品図である。詳細には、図２（Ａ）は図１（Ａ）に示したレンズ３を図１（Ａ）の手前側かつ右側から見た斜視図である。図２（Ｂ）は図１（Ａ）に示したレンズ３を図１（Ａ）の奥側かつ左側から見た斜視図である。図２（Ｃ）は図１（Ａ）に示したレンズ３を図１（Ａ）の手前側から見た正面図である。
【００２８】
第１の実施形態の照明装置では、図１（Ａ）、図２（Ａ）および図２（Ｃ）に示すように、レンズ３の外側表面のプリズムカット３ｃの稜線３ｃＬが水平方向に延びているのに対し、図１（Ａ）、図２（Ｂ）および図２（Ｃ）に示すように、レンズ３の内側表面のプリズムカット３ｄの稜線３ｄＬが、水平方向に対して斜めに延びている。
【００２９】
詳細には、第１の実施形態の照明装置では、図２（Ｃ）に示すように、レンズ３の外側表面のプリズムカット３ｃの稜線３ｃＬをレンズ３の厚さ方向（図２（Ｃ）の手前−奥側方向）に投影したもの（図２（Ｃ）中の３ｃＬ）と、レンズ３の内側表面のプリズムカット３ｄの稜線３ｄＬをレンズ３の厚さ方向（図２（Ｃ）の手前−奥側方向）に投影したもの（図２（Ｃ）中の３ｄＬ）とが、例えば約３０°のような、０°より大きく９０°より小さい角度θをなして交差している。
【００３０】
また、第１の実施形態の照明装置では、図２（Ａ）に示すように、概略円形の断面形状を稜線３ｃＬに沿ってスイープすることにより、レンズ３の外側表面のプリズムカット３ｃが形成されている。また、図２（Ｂ）に示すように、概略三角形の断面形状を稜線３ｄＬに沿ってスイープすることにより、レンズ３の内側表面のプリズムカット３ｄが形成されている。
【００３１】
そのため、第１の実施形態の照明装置によれば、レンズ３の外側表面のプリズムカット３ｃの稜線３ｃＬとレンズ３の内側表面のプリズムカット３ｄの稜線３ｄＬとが平行になっている場合や、レンズ３の外側表面のプリズムカット３ｃの稜線３ｃＬをレンズ３の厚さ方向に投影したものとレンズ３の内側表面のプリズムカット３ｄの稜線３ｄＬをレンズ３の厚さ方向に投影したものとが直交している場合とは全く異なる新規な見栄えを提供することができる。
【００３２】
更に、第１の実施形態の照明装置では、図２（Ｂ）に示すように、レンズ３の内側表面のプリズムカット３ｄ上に、微細プリズムカット３ｅが形成されている。そのため、第１の実施形態の照明装置によれば、レンズ３の内側表面のプリズムカット３ｄ上の微細プリズムカット３ｅによって細かい配光制御を行うことができる。
【００３３】
図３は図２（Ｂ）に示した微細プリズムカット３ｅなどの拡大図である。第１の実施形態の照明装置では、図３に示すように、概略円形の断面形状を稜線３ｅＬに沿ってスイープすることにより、凸状の微細プリズムカット３ｅが、レンズ３の内側表面のプリズムカット３ｄ上に形成されている。
【００３４】
つまり、第１の実施形態の照明装置では、凸状の微細プリズムカット３ｅがレンズ３の外側表面のプリズムカット３ｃ上に形成されるのではなく、図３に示すように、凸状の微細プリズムカット３ｅがレンズ３の内側表面のプリズムカット３ｄ上に形成されている。そのため、第１の実施形態の照明装置によれば、凸状の微細プリズムカット３ｅがレンズ３の外側表面のプリズムカット３ｃ上に形成されるのに伴って細かい突起が照明装置の外側に露出してしまうのを回避することができる。
【００３５】
また、第１の実施形態の照明装置では、図３に示すように、プリズムカット３ｄの稜線３ｄＬと、微細プリズムカット３ｅの稜線３ｅＬとが直交せしめられている。
【００３６】
更に、第１の実施形態の照明装置では、図１（Ｂ）、図２（Ａ）および図２（Ｂ）に示すように、レンズ３の外側表面のプリズムカット３ｃの断面形状がレンズ３の内側表面のプリズムカット３ｄの断面形状よりも滑らかな曲線になるように、レンズ３の外側表面のプリズムカット３ｃおよびレンズ３の内側表面のプリズムカット３ｄが形成されている。詳細には、レンズ３の外側表面のプリズムカット３ｃが概略シリンドリカル形状に形成され、レンズ３の内側表面のプリズムカット３ｄが概略三角柱状に形成されている。
【００３７】
そのため、第１の実施形態の照明装置によれば、鋭利な断面形状を有するレンズ３の外側表面のプリズムカット３ｃが形成されるのに伴って、鋭利な部分が照明装置の外側に露出してしまうのを回避することができる。
【００３８】
図４は第２の実施形態の照明装置のレンズ３の部品図である。詳細には、図４（Ａ）は第２の実施形態の照明装置のレンズ３を手前側かつ右側から見た斜視図である。図４（Ｂ）は第２の実施形態の照明装置のレンズ３を奥側かつ左側から見た斜視図である。
【００３９】
第１の実施形態の照明装置では、図２（Ａ）および図２（Ｂ）に示すように、レンズ３が一部材によって構成されているが、第２の実施形態の照明装置では、図４（Ａ）および図４（Ｂ）に示すように、２つの部材３ａ，３ｂを張り合わせることによってレンズ３が構成されている。詳細には、レンズ３の外側表面のプリズムカット３ｃが部材３ａに形成され、レンズ３の内側表面のプリズムカット３ｄおよび微細プリズムカット３ｅが部材３ｂに形成されている。
【００４０】
そのため、第２の実施形態の照明装置によれば、外側表面のプリズムカット３ｃと内側表面のプリズムカット３ｄと内側表面のプリズムカット３ｄ上の微細プリズムカット３ｅとを備えたレンズ３を単一の部材によって形成するのに伴って、その部材を成形するための金型が複雑になり、レンズ３の製造コストが嵩んでしまうのを抑制することができる。
【００４１】
図５はレンズ３の内側表面のプリズムカット３ｄの断面形状のバリエーションを示した図である。第１の実施形態の照明装置では、図１（Ｂ）、図２（Ａ）、図２（Ｂ）、図３および図５（Ａ）に示すように、レンズ３の内側表面のプリズムカット３ｄとして、概略三角形の断面形状を有する凸状のプリズムカット３ｄが形成されているが、第３の実施形態の照明装置では、代わりに、図５（Ｂ）に示すように、概略円形の断面形状を有する凸状のプリズムカット３ｄをレンズ３の内側表面のプリズムカット３ｄとして形成することも可能である。
【００４２】
また、第４の実施形態の照明装置では、代わりに、図５（Ｃ）に示すように、概略台形の断面形状を有する凸状のプリズムカット３ｄをレンズ３の内側表面のプリズムカット３ｄとして形成することも可能である。あるいは、第５の実施形態の照明装置では、代わりに、図５（Ｄ）に示すように、概略四角形の断面形状を有する凸状のプリズムカット３ｄをレンズ３の内側表面のプリズムカット３ｄとして形成することも可能である。また、第６の実施形態の照明装置では、代わりに、図５（Ｅ）に示すように、概略三角形の断面形状を有する凹状のプリズムカット３ｄをレンズ３の内側表面のプリズムカット３ｄとして形成することも可能である。
【００４３】
あるいは、第７の実施形態の照明装置では、代わりに、図５（Ｆ）に示すように、概略円形の断面形状を有する凹状のプリズムカット３ｄをレンズ３の内側表面のプリズムカット３ｄとして形成することも可能である。また、第８の実施形態の照明装置では、代わりに、図５（Ｇ）に示すように、概略台形の断面形状を有する凹状のプリズムカット３ｄをレンズ３の内側表面のプリズムカット３ｄとして形成することも可能である。あるいは、第９の実施形態の照明装置では、代わりに、図５（Ｈ）に示すように、概略四角形の断面形状を有する凹状のプリズムカット３ｄをレンズ３の内側表面のプリズムカット３ｄとして形成することも可能である。
【００４４】
また、第１０の実施形態の照明装置では、代わりに、図５（Ｉ）に示すように、概略台形と概略三角形とを組み合わせた断面形状を有する凸状のプリズムカット３ｄをレンズ３の内側表面のプリズムカット３ｄとして形成することも可能である。あるいは、第１１の実施形態の照明装置では、代わりに、図５（Ｊ）に示すように、概略円形と概略三角形とを組み合わせた断面形状を有する凸状のプリズムカット３ｄをレンズ３の内側表面のプリズムカット３ｄとして形成することも可能である。
【００４５】
更に、第１の実施形態の照明装置では、図１（Ｂ）、図２（Ａ）および図２（Ｂ）に示すように、レンズ３の外側表面のプリズムカット３ｃが等間隔に配列され、レンズ３の内側表面のプリズムカット３ｄが等間隔に配列されているが、第１２の実施形態の照明装置では、代わりに、レンズ３の外側表面のプリズムカット３ｃおよび／または内側表面のプリズムカット３ｄを異なる間隔で配列したり、あるいは、隣り合う外側表面のプリズムカット３ｃおよび／または内側表面のプリズムカット３ｄを隙間無く隣接させて配列したりすることも可能である。
【００４６】
また、第１の実施形態の照明装置では、図１（Ｂ）、図２（Ａ）および図２（Ｂ）に示すように、レンズ３の外側表面の複数のプリズムカット３ｃの寸法がすべて均一に設定され、レンズ３の内側表面の複数のプリズムカット３ｄの寸法がすべて均一に設定されているが、第１３の実施形態の照明装置では、代わりに、レンズ３の外側表面の複数のプリズムカット３ｃの寸法を異ならせたり、レンズ３の内側表面の複数のプリズムカット３ｄの寸法を異ならせたりすることも可能である。
【００４７】
更に、第１の実施形態の照明装置では、図１（Ｂ）、図２（Ａ）および図２（Ｂ）に示すように、レンズ３外側表面の隣り合うプリズムカット３ｃの間の部分が、概略円形の断面形状を有する凹状部分によって構成されているが、第１４の実施形態の照明装置では、代わりに、レンズ３外側表面の隣り合うプリズムカット３ｃの間の部分を平面によって構成することも可能である。
【００４８】
また、第１の実施形態の照明装置では、図１（Ｂ）、図２（Ａ）および図２（Ｃ）に示すように、レンズ３の外側表面のプリズムカット３ｃの稜線３ｃＬが水平方向に延びるようにレンズ３の外側表面のプリズムカット３ｃが形成されているが、第１５の実施形態の照明装置では、代わりに、レンズ３の外側表面のプリズムカット３ｃの稜線３ｃＬが鉛直方向に延びるようにレンズ３の外側表面のプリズムカット３ｃを形成することも可能である。
【００４９】
図６はレンズ３の内側表面のプリズムカット３ｄ上の微細プリズムカット３ｅの断面形状等のバリエーションを示した図である。第１の実施形態の照明装置では、図３および図６（Ａ）に示すように、概略円形の断面形状を有する複数の凸状の微細プリズムカット３ｅが隣接して配列されているが、第１６の実施形態の照明装置では、代わりに、図６（Ｂ）に示すように、概略三角形の断面形状を有する複数の凸状の微細プリズムカット３ｅを隣接させて配列することも可能である。あるいは、第１７の実施形態の照明装置では、代わりに、図６（Ｃ）に示すように、概略台形の断面形状を有する複数の凸状の微細プリズムカット３ｅを隣接させて配列することも可能である。
【００５０】
また、第１８の実施形態の照明装置では、代わりに、図６（Ｄ）に示すように、概略円形の断面形状を有する複数の凸状の微細プリズムカット３ｅを離間させて配列することも可能である。あるいは、第１９の実施形態の照明装置では、代わりに、図６（Ｅ）に示すように、概略三角形の断面形状を有する複数の凸状の微細プリズムカット３ｅを離間させて配列することも可能である。また、第２０の実施形態の照明装置では、代わりに、図６（Ｆ）に示すように、概略台形の断面形状を有する複数の凸状の微細プリズムカット３ｅを離間させて配列することも可能である。
【００５１】
あるいは、第２１の実施形態の照明装置では、代わりに、図６（Ｇ）に示すように、概略四角形の断面形状を有する複数の凸状の微細プリズムカット３ｅを離間させて配列することも可能である。また、第２２の実施形態の照明装置では、代わりに、図６（Ｈ）に示すように、概略六角形の断面形状を有する複数の凸状の微細プリズムカット３ｅを離間させて配列することも可能である。あるいは、第２３の実施形態の照明装置では、代わりに、図６（Ｉ）に示すように、概略円形の断面形状を有する寸法の異なる凸状の微細プリズムカット３ｅ１および凸状の微細プリズムカット３ｅ２を隣接させて配列することも可能である。
【００５２】
また、第２４の実施形態の照明装置では、代わりに、図６（Ｊ）に示すように、概略円形の断面形状を有する複数の凹状の微細プリズムカット３ｅを離間させて配列することも可能である。あるいは、第２５の実施形態の照明装置では、代わりに、図６（Ｋ）に示すように、概略円形の断面形状を有する複数の凹状の微細プリズムカット３ｅを隣接させて配列することも可能である。また、第２６の実施形態の照明装置では、代わりに、図６（Ｋ）に示すように、概略円形の断面形状を有する凹状の微細プリズムカット３ｅ３および凸状の微細プリズムカット３ｅ４を隣接させて配列することも可能である。
【００５３】
図７はレンズ３の内側表面のプリズムカット３ｄの稜線３ｄＬと、プリズムカット３ｄ上の微細プリズムカット３ｅの稜線３ｅＬとの関係のバリエーションを示した図である。第１の実施形態の照明装置では、図３および図７（Ａ）に示すように、レンズ３の内側表面のプリズムカット３ｄの稜線３ｄＬと、プリズムカット３ｄ上の微細プリズムカット３ｅの稜線３ｅＬとがなす角度θ１が約９０°に設定されているが、第２７の実施形態の照明装置では、代わりに、図７（Ｂ）に示すように、レンズ３の内側表面のプリズムカット３ｄの稜線３ｄＬと、プリズムカット３ｄ上の微細プリズムカット３ｅの稜線３ｅＬとがなす角度θ２を９０°より大きい値に設定することも可能である。
【００５４】
また、第２８の実施形態の照明装置では、図７（Ｃ）に示すように、レンズ３の内側表面のプリズムカット３ｄの稜線３ｄＬと、プリズムカット３ｄ上の微細プリズムカット３ｅ５の稜線３ｅＬ５とがなす角度θ３が９０°より小さくなり、レンズ３の内側表面のプリズムカット３ｄの稜線３ｄＬと、プリズムカット３ｄ上の微細プリズムカット３ｅ６の稜線３ｅＬ６とがなす角度θ４が約９０°になるように、微細プリズムカット３ｅ５，３ｅ６を形成することも可能である。
【００５５】
図８はレンズ３の内側表面のプリズムカット３ｄ上の微細プリズムカット３ｅ７，３ｅ８，３ｅ９，３ｅ１０，３ｅ１１，３ｅ１２のバリエーションを示した図である。第１の実施形態の照明装置では、図３に示すように、概略円形の断面形状を稜線３ｅＬに沿ってスイープすることにより、概略シリンドリカル形状の凸状の微細プリズムカット３ｅがレンズ３の内側表面のプリズムカット３ｄ上に形成されているが、第２９の実施形態の照明装置では、代わりに、図８（Ａ）に示すように、概略四角錐状の凸状の微細プリズムカット３ｅ７をレンズ３の内側表面のプリズムカット３ｄ上に形成することも可能である。
【００５６】
また、第３０の実施形態の照明装置では、代わりに、図８（Ｂ）に示すように、概略四角柱状の凸状の微細プリズムカット３ｅ８をレンズ３の内側表面のプリズムカット３ｄ上に形成することも可能である。あるいは、第３１の実施形態の照明装置では、代わりに、図８（Ｃ）に示すように、概略球状の凸状の微細プリズムカット３ｅ９をレンズ３の内側表面のプリズムカット３ｄ上に形成することも可能である。また、第３２の実施形態の照明装置では、代わりに、図８（Ｄ）に示すように、概略四角錐状の凹状の微細プリズムカット３ｅ１０をレンズ３の内側表面のプリズムカット３ｄ上に形成することも可能である。
【００５７】
あるいは、第３３の実施形態の照明装置では、代わりに、図８（Ｅ）に示すように、概略四角柱状の凹状の微細プリズムカット３ｅ１１をレンズ３の内側表面のプリズムカット３ｄ上に形成することも可能である。また、第３４の実施形態の照明装置では、代わりに、図８（Ｆ）に示すように、概略球状の凹状の微細プリズムカット３ｅ１２をレンズ３の内側表面のプリズムカット３ｄ上に形成することも可能である。
【００５８】
図９はレンズ３の内側表面のプリズムカット３ｄおよびその上に形成された微細プリズムカット３ｅ１３，３ｅ１４，３ｅ１５，３ｅ１６，３ｅ１７，３ｅ１８，３ｅ１９，３ｅ２０，３ｅ２１，３ｅ２２のバリエーションを示した図である。図１０はレンズ３の内側表面のプリズムカット３ｄおよびその上に形成された微細プリズムカット３ｅ２３，３ｅ２４，３ｅ２５，３ｅ２６，３ｅ２７，３ｅ２８，３ｅ２９，３ｅ３０，３ｅ３１のバリエーションを示した図である。
【００５９】
図９（Ａ）に示す例では、概略円形の断面形状を稜線３ｄＬに沿ってスイープすることにより、レンズ３の内側表面のプリズムカット３ｄが形成されている。更に、概略円形の断面形状を稜線３ｄＬに直交させてスイープすることにより、凹状の微細プリズムカット３ｅ１３が形成され、概略円形の断面形状を稜線３ｄＬに直交させてスイープすることにより、凸状の微細プリズムカット３ｅ１４が形成されている。また、概略三角形の断面形状を稜線３ｄＬに対して９０°より小さい角度をなしてスイープすることにより、凸状の微細プリズムカット３ｅ１５が形成されている。
【００６０】
図９（Ｂ）に示す例では、概略台形の断面形状を稜線３ｄＬに沿ってスイープすることにより、レンズ３の内側表面のプリズムカット３ｄが形成されている。更に、概略円形の断面形状を稜線３ｄＬに直交させてスイープすることにより、凹状の微細プリズムカット３ｅ１６が形成され、概略三角形の断面形状を稜線３ｄＬに直交させてスイープすることにより、凹状の微細プリズムカット３ｅ１７が形成されている。また、概略円形の断面形状を稜線３ｄＬに直交させてスイープすることにより、凸状の微細プリズムカット３ｅ１８が形成されている。
【００６１】
図９（Ｃ）に示す例では、概略三角形の断面形状を稜線３ｄＬに沿ってスイープすることにより、レンズ３の内側表面のプリズムカット３ｄが形成されている。更に、概略円形の断面形状を稜線３ｄＬに直交させてスイープすることにより、凸状の微細プリズムカット３ｅ１９が形成され、概略円形の断面形状を稜線３ｄＬに直交させてスイープすることにより、凸状の微細プリズムカット３ｅ２０が形成され、概略円形の断面形状を稜線３ｄＬに直交させてスイープすることにより、凸状の微細プリズムカット３ｅ２１が形成されている。詳細には、微細プリズムカット３ｅ１９の概略円形の断面形状の曲率よりも、微細プリズムカット３ｅ２０の概略円形の断面形状の曲率が大きくされ、微細プリズムカット３ｅ２０の概略円形の断面形状の曲率よりも、微細プリズムカット３ｅ２１の概略円形の断面形状の曲率が大きくされている。また、多角形の断面形状を稜線３ｄＬに直交させてスイープすることにより、凸状の微細プリズムカット３ｅ２２が形成されている。
【００６２】
図１０（Ａ）に示す例では、多角形の断面形状を稜線３ｄＬに沿ってスイープすることにより、レンズ３の内側表面のプリズムカット３ｄが形成されている。更に、概略球状の凸状の微細プリズムカット３ｅ２３が形成され、概略球状の凹状の微細プリズムカット３ｅ２４が形成され、概略四角錐状の凸状の微細プリズムカット３ｅ２５が形成されている。更に、レンズ３の内側表面のプリズムカット３ｄの稜線３ｄＬにほぼ平行に延びているＶ溝状の微細プリズムカット３ｅ２６が形成され、稜線３ｄＬに直交する方向に延びている溝状の微細プリズムカット３ｅ２７が形成されている。
【００６３】
図１０（Ｂ）に示す例では、円形の断面形状および三角形の断面形状を組み合わせたものを稜線３ｄＬに沿ってスイープすることにより、レンズ３の内側表面のプリズムカット３ｄが形成されている。更に、概略四角錐状の凸状の微細プリズムカット３ｅ２８が形成され、概略三角錐状の凸状の微細プリズムカット３ｅ２９が形成され、概略四角柱状の凹状の微細プリズムカット３ｅ３０が形成され、概略三角柱状の凸状の微細プリズムカット３ｅ３１が形成されている。
【００６４】
第３５の実施形態では、上述した第１から第３４の実施形態および図９および図１０に示した例を適宜組合わせることも可能である。
【産業上の利用可能性】
【００６５】
本発明の照明装置は、例えば車両用灯具、一般照明灯具、遊技用灯具などに適用可能である。
【図面の簡単な説明】
【００６６】
【図１】第１の実施形態の照明装置を示した図である。
【図２】図１に示したレンズ３の部品図である。
【図３】図２（Ｂ）に示した微細プリズムカット３ｅなどの拡大図である。
【図４】第２の実施形態の照明装置のレンズ３の部品図である。
【図５】レンズ３の内側表面のプリズムカット３ｄの断面形状のバリエーションを示した図である。
【図６】レンズ３の内側表面のプリズムカット３ｄ上の微細プリズムカット３ｅの断面形状等のバリエーションを示した図である。
【図７】レンズ３の内側表面のプリズムカット３ｄの稜線３ｄＬと、プリズムカット３ｄ上の微細プリズムカット３ｅの稜線３ｅＬとの関係のバリエーションを示した図である。
【図８】レンズ３の内側表面のプリズムカット３ｄ上の微細プリズムカット３ｅ７，３ｅ８，３ｅ９，３ｅ１０，３ｅ１１，３ｅ１２のバリエーションを示した図である。
【図９】レンズ３の内側表面のプリズムカット３ｄおよびその上に形成された微細プリズムカット３ｅ１３，３ｅ１４，３ｅ１５，３ｅ１６，３ｅ１７，３ｅ１８，３ｅ１９，３ｅ２０，３ｅ２１，３ｅ２２のバリエーションを示した図である。
【図１０】レンズ３の内側表面のプリズムカット３ｄおよびその上に形成された微細プリズムカット３ｅ２３，３ｅ２４，３ｅ２５，３ｅ２６，３ｅ２７，３ｅ２８，３ｅ２９，３ｅ３０，３ｅ３１のバリエーションを示した図である。
【符号の説明】
【００６７】
１              光源
２              リフレクタ
３              レンズ
３ｃ，３ｄ      プリズムカット
３ｃＬ，３ｄＬ  稜線
３ｅ            微細プリズムカット
【図１】
2007227299.tif 000003
【図２】
2007227299.tif 000004
【図３】
2007227299.tif 000005
【図４】
2007227299.tif 000006
【図５】
2007227299.tif 000007
【図６】
2007227299.tif 000008
【図７】
2007227299.tif 000009
【図８】
2007227299.tif 000010
【図９】
2007227299.tif 000011
【図１０】
2007227299.tif 000012